(57)【特許請求の範囲】
【請求項１】
競馬開催日に預金の引出・振込ができない契約がなされた金融機関のロック口座に投票購入資金を予め預金して勝馬投票が行える会員制の加入者が操作を行う会員投票端末と、その端末からのアクセス信号を通信回線を介して受信し投票に関する依頼に応答する投票システムからなり、その投票システムは、競馬場内外の現金投票所の発信端末から通信回線を経由して送信される投票データを集計する計算センターと開催案内／競馬場／オッズ情報を蓄積する情報センターよりなる総合センターと交信し、投票受付とその結果或は投票情報照会結果を総合センターから受信し、その会員の投票端末へ返信する電話回線経由投票システムにおいて、
前記投票システムは、通信回線に接続し投票できるＰＢ音操作可能なプッシュホン、モデム接続部のあるパソコンと、さらにインターネットを経由し投票できるＷｅｂブラウザを備えたパソコン、インターネット対応携帯電話とを含む前記会員投票端末からのそれぞれのアクセス信号に応答する複数の応答サブシステムに加えて、それらの各応答サブシステムからのプリペイドカードを利用する投票依頼に対応し、それらのサブシステムに加えて、投票端末で使用されるプリペイドカードを管理するカード管理サブシステムを備え、そのカード管理サブシステムは、そのデータベースに発行されたプリペイドカードの認証コードテーブルと、会員の前記ロック口座に加算されるプリペイドカード入金を記録するプリペイド入金残高管理テーブルとを備え、
そのプリペイドカードを販売所から購入したか、或いはインターネットのホームページ上で決済し認証コードの通知を受けて仮想プリペイドカードを購入した会員が前記投票端末から投票システムにアクセスするに際し、プリペイドカード入金画面をメニューから選択して、その入力画面に前記プリペイドカードの認証コードを入力すれば、前記応答サブシステムはその入力データを通信回線を介して受信して、入力された認証コードと会員の加入者番号・パスワードをカード管理サブシステムに送り、プリペイドカードの認証コードと認証コードテーブルとを照合してそのカードを認証し、会員の加入者番号とプリペイドカード額面金額をプリペイド入金残高テーブルに入金記録し、認証コードテーブルに使用されたプリペイドカードの番号を無効とする処理を行い、ロック口座加算結果を応答サブシステムに送り、応答サブシステムは投票端末へロック口座残高と加算されるプリペイドカード券面金額と共に投票データメニュー或は入力画面を送信し、ロック口座による通常の投票と同様の投票が行えることを特徴とするプリペイドカード決済機能を備える電話回線経由投票システム。
【請求項２】
前記応答サブシステムは、会員投票端末からプリペイドカードのデータ入力画面のメニュー項目の選択信号を受信して、その画面を端末へ送信するカード入金画面送信手段と、その入力画面に購入したカードの認証コードを会員投票端末から入力し、そのデータを受信してカード管理サブシステムに送り、そのカードの認証を受ければ、端末へカードからの入金とロック口座加算結果と共に投票データメニュー或いは入力画面を送信するカード投票データ入力画面送信手段とを備え、前記カード管理サブシステムは、応答サブシステムから利用会員の会員プリペイドカードの認証コードを受け認証コードテーブルと照合して認証を行い、、会員の加入者番号とプリペイドカード額面金額をプリペイド入金残高テーブルに入金記録し、認証コードテーブルに使用されたプリペイドカードの番号を無効とする処理を行い、ロック口座加算結果を応答サブシステムに送るプリペイドコード認証手段とを少なくとも備えることを特徴とする請求項１記載のプリペイドカード決済機能を備える電話回線経由投票システム。
【請求項３】
前記投票端末は、ＰＢ音操作で勝馬投票／即会申込が行えるプッシュホン或は携帯電話であり、電話通信回路を経由して、それに対応する音声応答装置を備えた応答サブシステムでその受付結果を音声応答することを特徴とする請求項１記載のプリペイドカード決済機能を備える電話回線経由投票システム。
【請求項４】
前記投票端末は、通信回線に接続可能なモデム接続部のあるパソコン或いはゲーム機であり、その端末は応答サブシステムに対応する通信手続と投票に関する応答手続プログラムを備え、通信回線を経由して、その応答サブシステムに勝馬投票／照会申込処理を行うことを特徴とする請求項１記載のプリペイドカード決済機能を備える電話回線経由投票システム。
【請求項５】
前記投票端末は、ｗｅｂブラウザを有するパソコンインターネット対応の各社携帯電話であり、パソコンはインターネットを経由し、各社携帯電話はそれぞれ各社対応のインターネット携帯電話網を経由して、それぞれの回線に対応する少なくともｗｅｂサーバを備えた複数の応答サブシステムに勝馬投票／照会申込処理を行うことを特徴とする請求項１記載のプリペイドカード決済機能を備える電話回線経由投票システム。
【請求項６】
前記プリペイドカードは、前記投票システムの電話回線経由投票の投票購入資金として使用可能でカード毎に異なる認証コードを記載したプリペイドカードを販売する販売所を競馬場施設内或は一般店舗に設置して前記会員に販売するプリペイドカードと、インターネットのホームページで購入の申込みを受付け、電子マネー、クレジットカード、デビットカードでの決済に応じて会員端末に認証コードを通知する仮想プリペイドカードとを備え、前記カード管理サブシステムには仮想プリペイド販売のホームページから通知される販売された認証コードを認証コードテーブルに記録する仮想カード登録手段を備えることを特徴とする請求項１から５いずれかに記載のプリペイドカード決済機能を備える電話回線経由投票システム。
【発明の詳細な説明】
【０００１】
【発明の属する技術分野】
競馬開催日に預金の引出・振込ができない契約がなされた金融機関のロック口座に投票購入資金を予め預金して勝馬投票が行える会員制の加入者が操作を行う会員投票端末を、その端末からのアクセス信号を通信回路を介して受信し、投票に関する依頼に応答する投票システムからなり、その投票システムは、投票端末からのアクセスに応答する応答サブシステムと、投票端末からのプリペイドカードを利用した投票を受付けるカード管理サブシステムとから構成するプリペイドカード決済機能を備える電話回線回路経由投票システムと、そのプリペイドカードに関する。
【０００２】
【従来の技術】
図４は、ロック口座を金融機関に持って勝馬投票が行える会員制の加入者が利用できる電話回線経由投票システム１００の説明図を示す。
【０００３】
この実施例では会員加入者の各種の投票端末３１〜３４からそれぞれ通信回線を介する投票に関する各種のアクセス信号に応答する複数の応答サブシステム１０１〜１０４を備える。
【０００４】
この実施例で示した各種の投票端末３１〜３４と、それに対応する応答サブシステム１０１〜１０４について説明する。投票端末が会員加入者のｗｅｂブラウザ付パソコン３１である場合は、インターネットを介してｗｅｂブラウザ付パソコン応答サブシステム１０１（第一の応答サブシステム）によりアクセス信号を受信する。
【０００５】
その第１の応答サブシステム１０１はファイアウオール１０１ａ、ｗｅｂサーバ１０１ｂ、インターネット対応の投票・情報照会アプリケーションサーバコンピュータ１０１ｃからなる。そのサーバコンピュータ１０１ｃは、投票端末３１からの投票受付或は投票情報照会の依頼信号を受信する。
【０００６】
ここで、競馬場内外現金投票所の発信端末群６０から収集した投票に関するデータを集計する計算センター及び開催日案内／出馬表／オッズなどの情報センターからなる総合センター４０と交信し、投票受付或はその情報照会の結果を受信し、その会員の投票端末３１へ返信する。尚、５０は総合センター４０のバックアップセンターを示す。
【０００７】
次に、投票端末が、会員加入者のインターネット対応各社携帯電話３２である場合は、それぞれ各社のインターネット対応の携帯電話網２２を介して、インターネット対応各社携帯電話応答サブシステム１０２（第２の応答サブシステム）によりアクセス信号を受信する。
【０００８】
その応答サブシステム１０２はファイアウオール１０２ａ、ｗｅｂサーバ１０２ｂ、インターネット対応の投票・情報照会アプリケーションサーバコンピュータ１０２ｃからなる。
【０００９】
そのサーバコンピュータ１０２ｃは、投票端末３２からの投票受付或は投票情報照会の依頼信号を受信する。さらに第１の応答サブシステム１０１と同様に総合センター４０と交信し、その結果を投票端末３２へ返信する。
【００１０】
次に、投票端末が、会員加入者のＰＢ音操作可能なプッシュホン或は携帯電話３３である場合は、通信回線網２０を介してＰＢ音操作可能なプッシュホン・携帯電話応答サブシステム１０３（第３の応答システム）によりアクセス信号を受信する。
【００１１】
その第３の応答サブシステム１０３はＰＢ音信号を受信し障害対応着信迂回処理通信録音付投票情報照会音声応答装置１０３ａを備える。応答装置１０３ａは投票端末３３からの投票受付或は投票情報照会のＰＢ音による依頼信号を受信する。さらに、第１の応答サブシステム１０１と同様に総合センター４０と交信しその結果を投票端末３３で音声で返信する。
【００１２】
次に、投票端末が、会員加入者が通信回線接続可能なパソコン或はゲーム機３４である場合には、通信回線網２０を介して通信回線接続可能パソコン・ゲーム機応答サブシステム１０４（第４の応答サブシステム）によりアクセス信号を受信する。
【００１３】
その第４の応答サブシステム１０４は、加入者端末へ予め会員専用とするためにインストールした手続プログラム（通信設定手段及び投票データ交信応答手段）による投票・情報照会応答装置１０４を備える。応答装置１０４ａは投票端末３４からの投票受付或は投票情報照会の依頼信号を受信する。さらに、第１の応答サブシステム１０１と同様に総合センター４０と交信しその結果を投票端末３４へ返信し、前記手続プログラムにより予め定めた表示画面により端末３４へ表示する。
【００１４】
尚、１０５はこれらの応答サブシステムを統括する総合運用監視装置である。
【００１５】
以上の従来の投票システム１００は、以下に述べる問題点があった。すなわち、電話回線経由投票会員はそれぞれ前述したようにロック口座に予め投票券の購入資金を預金しておく必要があるが、開催日の前日の夕方までしかロック口座への入金が受け付けられない。
【００１６】
従って、ロック口座の残金不足で競馬開催日を迎えた場合、もしくは口座残高を使い切ってしまった場合は次の開催日まで投票はできない問題があった。このため、開催期間中に投票するには、現金投票所に出向き現金により投票するほかなかった。
【００１７】
【発明が解決しようとする課題】
本発明は前述した点に鑑みてなされたものであり、その目的とするところはロック口座を金融機関に設け預金を行い勝馬投票を行う会員制の加入者が利用できる従来の電話回線経由投票システムにおいて、会員投票端末からのアクセスに応答する１以上の応答サブシステムと、会員加入者の投票端末からプリペイドカードを利用して投票するためのプリペイドカードを管理するカード管理サブシステムとから構成するプリペイドカード決済機能を備える電話回線経由投票システムと、そのプリペイドカードを提供することにある。
【００１８】
また、会員の投票端末がインターネットを介して応答サブシステムに接続して投票を行うに際しては、仮想プリペイドカードをｗｅｂ上で購入して投票できる投票システムを提供することにある。
【００１９】
【課題を解決するための手段】
前記課題を解決するため、本発明のプリペイドカード決済機能を備える電話回線経由投票システムは、競馬開催日に預金の引出・振込ができない契約がなされた金融機関のロック口座に投票購入資金を予め預金して勝馬投票が行える会員制の加入者が操作を行う会員投票端末と、その端末からのアクセス信号を通信回線を介して受信し投票に関する依頼に応答する投票システムからなり、その投票システムは、競馬場内外の現金投票所の発信端末から通信回線を経由して送信される投票データを集計する計算センターと開催案内／競馬場／オッズ情報を蓄積する情報センターよりなる総合センターと交信し、投票受付とその結果或は投票情報照会結果を総合センターから受信し、その会員の投票端末へ返信する電話回線経由投票システムにおいて、
前記投票システムは、通信回線に接続し投票できるＰＢ音操作可能なプッシュホン、モデム接続部のあるパソコンと、さらにインターネットを経由し投票できるＷｅｂブラウザを備えたパソコン、インターネット対応携帯電話とを含む前記会員投票端末からのそれぞれのアクセス信号に応答する複数の応答サブシステムに加えて、それらの各応答サブシステムからのプリペイドカードを利用する投票依頼に対応し、それらのサブシステムに加えて、投票端末で使用されるプリペイドカードを管理するカード管理サブシステムを備え、そのカード管理サブシステムは、そのデータベースに発行されたプリペイドカードの認証コードテーブルと、会員の前記ロック口座に加算されるプリペイドカード入金を記録するプリペイド入金残高管理テーブルとを備え、
そのプリペイドカードを販売所から購入したか、或いはインターネットのホームページ上で決済し認証コードの通知を受けて仮想プリペイドカードを購入した会員が前記投票端末から投票システムにアクセスするに際し、プリペイドカード入金画面をメニューから選択して、その入力画面に前記プリペイドカードの認証コードを入力すれば、前記応答サブシステムはその入力データを通信回線を介して受信して、入力された認証コードと会員の加入者番号・パスワードをカード管理サブシステムに送り、プリペイドカードの認証コードと認証コードテーブルとを照合してそのカードを認証し、会員の加入者番号とプリペイドカード額面金額をプリペイド入金残高テーブルに入金記録し、認証コードテーブルに使用されたプリペイドカードの番号を無効とする処理を行い、ロック口座加算結果を応答サブシステムに送り、応答サブシステムは投票端末へロック口座残高と加算されるプリペイドカード券面金額と共に投票データメニュー或は入力画面を送信し、ロック口座による通常の投票と同様の投票が行えることを特徴とする。
【００２０】
また、前記応答サブシステムは、会員投票端末からプリペイドカードのデータ入力画面のメニュー項目の選択信号を受信して、その画面を端末へ送信するカード入金画面送信手段と、その入力画面に購入したカードの認証コードを会員投票端末から入力し、そのデータを受信してカード管理サブシステムに送り、そのカードの認証を受ければ、端末へカードからの入金とロック口座加算結果と共に投票データメニュー或いは入力画面を送信するカード投票データ入力画面送信手段とを備え、
前記カード管理サブシステムは、応答サブシステムから利用会員の会員プリペイドカードの認証コードを受け認証コードテーブルと照合して認証を行い、会員の加入者番号とプリペイドカード額面金額をプリペイド入金残高テーブルに入金記録し、認証コードテーブルに使用されたプリペイドカードの番号を無効とする処理を行い、ロック口座加算結果を応答サブシステムに送るプリペイドコード認証手段とを少なくとも備えることを特徴とする。
【００２１】
また、前記投票端末は、ＰＢ音操作で勝馬投票／即会申込が行えるプッシュホン或は携帯電話であり、電話通信回路を経由して、それに対応する音声応答装置を備えた応答サブシステムでその受付結果を音声応答することを特徴とする。
【００２２】
また、前記投票端末は、通信回線に接続可能なモデム接続部のあるパソコン或いはゲーム機であり、その端末は応答サブシステムに対応する通信手続と投票に関する応答手続プログラムを備え、通信回線を経由して、その応答サブシステムに勝馬投票／照会申込処理を行うことを特徴とする。
【００２３】
また、前記投票端末は、ｗｅｂブラウザを有するパソコンインターネット対応の各社携電話であり、パソコンはインターネットを経由し、各社携帯電話はそれぞれ各社対応のインターネット携帯電話網を経由して、それぞれの回線に対応する少なくともｗｅｂサーバを備えた複数の応答サブシステムに勝馬投票／照会申込処理を行うことを特徴とする。
【００２４】
また、前記プリペイドカードは、前記投票システムの電話回線経由投票の投票購入資金として使用可能でカード毎に異なる認証コードを記載したプリペイドカードを販売する販売所を競馬場施設内或は一般店舗に設置して前記会員に販売するプリペイドカードと、インターネットのホームページで購入の申込みを受付け、電子マネー、クレジットカード、デビットカードでの決済に応じて会員端末に認証コードを通知する仮想プリペイドカードとを備え、前記カード管理サブシステムには仮想プリペイド販売のホームページから通知される販売された認証コードを認証コードテーブルに記録する仮想カード登録手段を備えることを特徴とする。
【００２６】
【発明の実施の形態】
本発明の実施の形態を以下図に基づいて説明する。
【００２７】
図１は本発明のプリペイドカード決済機能を備える電話回線経由投票システム１０を示す一実施の形態の説明図である。この実施例では投票システム１０１は、第１〜第４の応答サブシステム１１〜１４とカード管理サブシステム１５とから構成する。ここで、図１の符号番号が従来例の図４の符号番号と同一のものは同一機能であり、その説明を省略する。
【００２８】
尚、投票システム１０を構成する応答サブシステムを４系統としたが、少なくとも１系統の応答サブシステムとして構成してもよい。
【００２９】
会員加入者の投票端末がｗｅｂブラウザ付パソコン３１の場合は、端末３１からインターネット２１を介しての投票に関するアクセス信号は第１応答サブシステム１１で受信する。
【００３０】
第１応答サブシステム１１はファイアウオール１１ａ、ｗｅｂサーバ１１ｂ、投票情報照会アプリケーションサーバコンピュータ１１ｃからなり、通常のロック口座により投票に関する処理（従来例のコンピュータ１０１ｃと同じ処理）が行なえると共に、プリペイドカードを利用する場合の投票依頼に対応できる後述する手段１１ｄ、１１ｅを少なくとも備える。
【００３１】
通常のロック口座による投票情報照会のときは総合センター４０と交信して、その結果を第１応答サブシステムからインターネットを介して投票端末３１へ返信する。
【００３２】
ロック口座残高が不足の場合、会員が競馬場施設内或は一般店舗の販売所からプリペイドカードを購入してそれを使用して投票を行う場合の処理のために以下の手段１１ｄ、１１ｅを備える。
【００３３】
すなわち、投票端末であるＷｅｂブラウザ付パソコン３１において会員がその端末画面のメニュー項目の中のプリペイドカードを使用する投票データ入力画面を選択したときは、第１応答サブシステム１１のアプリケーションサーバコンピュータ１１ｃは、その選択信号を受信すれば、その入力画面を端末３１へ送信するカードデータ入力画面送信手段１１ｄを備える。
【００３４】
投票システム１０のカード管理サブシステム１５の管理業務コンピュータ１５ｄは、サーバコンピュータ１１ｃからプリペイドカードの認証コードを受信し、予め発行されたプリペイドカードの認証コードが記録された認証コードテーブル１５ｂを検索して認証を行い、その結果をプリペイド入金残高管理テーブル１５ｃに記録し、認証コードテーブル１５ｂにそのカードを再度使用できない処理をして、第１応答サブシステム１１へそのロック口座加算結果を送るプリペイドコード認証手段１５ｅを備える。
【００３５】
前記プリペイドカードは、前記投票システム１０の電話回線経由投票の投票購入資金として使用可能でカード毎に異なる認証コードを記載したプリペイドカードを販売する販売所を競馬場施設内或は一般店舗に設置して前記会員に販売するプリペイドカードと、インターネットのホームページで購入の申込みを受付け、電子マネー、クレジットカード、デビットカードでの決済に応じて会員端末に認証コードを通知する仮想プリペイドカードとの２種類のプリペイドカードを利用可能とする。
【００３６】
プリペイドカードの販売所に発行されたプリペイドカードの認証番号は、カード管理サブシステム１５の認証コードテーブル１５ｄに予め登録して、購入した会員からカード使用に際して通知されるカード記載の認証コードで有効確認がなされる。
【００３７】
また、仮想プリペイドカードについては、前記カード管理サブシステム１５に仮想プリペイド販売のホームページから通知される販売された認証コードを認証コードテーブルに記録する仮想カード登録手段１５ｆを備える。
【００３８】
この実施の形態では図示しないが、プリペイドカード販売店舗とカード管理サブシステム１５をインターネットで接続し、カードの販売時点で、販売したカードの認証コードのみを認証コードテーブル１５ｂに登録する形態で運用しても良い。発行済のカードで管理するか、販売（代金決済）済のカードで管理するかは販売所の形態に併せて運用することができる。
【００３９】
仮想プリペイドカードの販売についても、予め販売ホームページ毎に異なる認証コード体系を定めて、販売所のホームページで認証番号を発行し、前記仮想カード登録手段１５ｆにより登録する方法と、本発明のカード管理サブシステム１５が発行依頼を受付けて認証番号を発行する一括管理のいづれの方法で運用しても良い。
【００４０】
次に、会員加入者の投票端末がインターネット対応各社携帯電話３２である場合はそれら各社のインターネット携帯電話網２２を介して第２応答システム１２によりアクセス信号を受信する。
【００４１】
その第２応答サブシステム１２は、ファイアウオール１２ａ、Ｗｅｂサーバ１２ｂ、投票・情報照会アプリケーションサーバコンピュータ１２ｃからなり、通常のロック口座により投票に関する処理が行えると共に、プリペイドカードを利用する場合の投票依頼に対応できる手段１２ｄ，１２ｅを少なくとも備える。
【００４２】
これらの手段１２ｄ、１２ｅは、それぞれカード入金画面送信手段１２ｄとカード投票データ入力画面送信手段１２ｅである。それらの手段１２ｄ、１２ｅは、前述した手段１１ｄ，１１ｅと同様なので説明を省略する。
【００４３】
次に、会員加入者の投票端末がＰＢ音操作可能なプッシュホン・携帯電話３３である場合は、通信回線２０を介して第３応答サブシステム１３により予め定められたＰＢ音の特号によるアクセス信号を受信する。
【００４４】
その第３の応答サブシステム１０３は少なくとも障害対応着信迂回処理、通信録音付投票情報照会音声応答装置１３ａを備え、通常のロック口座により予め会員に定めたＰＢ音による特号コード列の投票データを受信して、そのデータにより総合センター４０と交信し、その結果を音声にして投票端末３３へ返信する通常の投票処理が行えると共に、プリペイドカードを利用する場合の投票依頼に対応できる手段１３ｄ、１３ｅを少なくとも備える。この手段１３ｄ、１３ｅは前述した手段１１ｄ、１１ｅと同様なので説明を省略する。
【００４５】
次に、会員加入者の投票端末が通信回線接続可能なパソコン・ゲーム機３４である場合は、通信回線２０を介して第４応答サブシステム１４により受信する。投票端末３４は予め、端末３４とサブシステム１４間の通信設定手段とその間の投票データ更新手段からなる手続プログラムを会員加入者の投票端末３４へインストールしておき、交信して通常の投票処理が行えると共に、プリペイドカードを利用する場合の投票依頼に対応できる手段１４ｄ、１４ｅを少なくとも備える。この手段１４ｄ、１４ｅは前述した手段１１ｄ、１１ｅと同様なので説明を省略する。
【００４６】
次に、本発明のプリペイドカード決済機能を備える電話回線経由投票システムの動作の流れを図２に示す。図２は会員の投票端末がＷｅｂブラウザ付パソコン３１のときを示してあるが、投票端末が３２，３３，３４のときでも同様の動作の流れとなる。
【００４７】
図２において、Ｓ２３、Ｓ２６、Ｓ２７がそれぞれカードデータ入力画面送信手段１１ｄ、プリペイドコード認証手段１５ｄ、カード投票データ入力画面送信手段１１ｅを示す。
【００４８】
図３は、競馬場・ウインズ施設内外、コンビニなどの店舗に販売されるプリペイドカード１の一実施例を示す。プリペイドカード１の表面には電話回線経由投票会員用プリペイドカードの表示２、券面金額３及び認証コード４が記載され、その認証コード番号５は券面金額を含むカード毎に総て異なる番号となっている。
【００４９】
【発明の効果】
本発明のプリペイドカード決済機能を備える電話回線経由投票システム並びにそれに使用するプリペイドカードは以下に示す効果を奏する。
【００５０】
ロック口座を金融機関に持って、投票購入のための預金を行い勝馬投票が行える会員制の加入者が利用できる電話回線経由投票システムにおいて、会員投票端末からプリペイドカードを利用して投票することができる。
【００５１】
競馬開催日にロック口座残高が不足していても、プリペイドカードを競馬場内外の施設又はコンビニなどのプリペイドカード販売店舗から購入することにより、ロック口座残高に投票資金を加算することができるので、ロック口座預金残高不足のため投票をあきらめていた会員が投票できるようになる。
【００５２】
また、会員投票端末が、インターネットを介するパソコン或はインターネット対応携帯電話の場合は、さらに、以下のようにすることができる。すなわち、インターネットを介してｗｅｂ上で仮想プリペイドを購入して投票することもできる。このため、クレジットカードやデビットカード、電子マネーを保有していればプリペイドカードの購入が自宅からも行なうことができる。
【図面の簡単な説明】
【図１】本発明のプリペイドカード決済機能を備える電話回線経由投票システムの説明図である。
【図２】本発明の電話回線経由投票システムの動作の流れ図である。
【図３】本発明のプリペイドカードの一実施例を示す図である。
【図４】従来の電話回線経由投票システムの説明図である。
【符号の説明】
１            プリペイドカード
３            券面金額
４            認証コード
１０            プリペイドカード決済機能付電話回線経由投票システム
１１            第１応答サブシステム
１２            第２応答サブシステム
１３            第３応答サブシステム
１４            第４応答サブシステム
１１ａ，１２ａ  ファイアウオール
１１ｂ，１２ｂ  ｗｅｂサーバ
１１ｃ，１２ｃ  投票・情報照会アプリケーションサーバ
１３ａ          投票・情報照会音声応答装置
１４ａ          投票・情報照会応答装置
１１ｄ，１２ｄ，１３ｄ，１４ｄ  カード入金画面送信手段
１１ｅ，１２ｅ，１３ｅ，１４ｅ  カード投票データ入力画面送信手段
１１ｆ，１２ｆ  仮想プリペイド購入申込送信手段
１１ｇ，１２ｇ  仮想カード投票データ入力画面送信手段
１５            カード管理サブシステム
１５ａ          データベース
１５ｂ          認証コードテーブル
１５ｃ          プリペイド入金残高管理テーブル
１５ｄ          管理業務コンピュータ
１５ｅ          プリペイドコード認証手段
１５ｆ          仮想カード登録手段
２０            通信回路網
２１            インターネット
２２            各社携帯電話インターネット網
２１ａ，２２ａ，２３ａ，２４ａ  多重回線
３１，３２，３３，３４  会員加入者の投票端末
４０            総合センター
５０            バックアップセンター
６０            競馬場内外発信端末
【図１】
0003682481.tif 000002
【図２】
0003682481.tif 000003
【図３】
0003682481.tif 000004
【図４】
0003682481.tif 000005